(57)【要約】  第１の通信装置は、リソースプールのセットの中から選択したリソースプールに含まれる何れかのリソースを利用して、第２の通信装置宛ての信号を送信する。一方、第１の通信装置と第２の通信装置間の無線通信を中継する少なくとも一つの第３の通信装置のそれぞれは、第１の通信装置と第２の通信装置間の無線通信におけるその第３の通信装置でのホップカウントと、第１の通信装置が選択したリソースプールとに基づいて規定される所定の規則に従ってリソースプールのセットの中から何れかのリソースプールを選択し、選択したリソースプールに含まれる何れかのリソースを利用して、第２の通信装置宛ての信号を中継順序が次の通信装置または第２の通信装置へ転送する。
2017179133.tif 000002
【特許請求の範囲】
【請求項１】
複数の通信装置を有する無線通信システムであって、
前記複数の通信装置のそれぞれは、前記複数の通信装置のうちの他の通信装置との無線通信に利用可能な周波数及び時間を規定するリソースを複数含むリソースプールの共通するセットを記憶し、
前記複数の通信装置のうちの第１の通信装置は、前記リソースプールのセットの中から何れかのリソースプールを選択し、選択したリソースプールに含まれる何れかのリソースを利用して、前記複数の通信装置のうちの第２の通信装置宛ての信号を送信し、
前記複数の通信装置のうち、前記第１の通信装置と前記第２の通信装置間の無線通信を中継する少なくとも一つの第３の通信装置のそれぞれは、前記無線通信における当該第３の通信装置でのホップカウントと、前記第１の通信装置が選択したリソースプールとに基づいて規定される所定の規則に従って前記リソースプールのセットの中から何れかのリソースプールを選択し、選択したリソースプールに含まれる何れかのリソースを利用して、前記第２の通信装置宛ての信号を前記少なくとも一つの第３の通信装置のうちの中継順序が次の通信装置または前記第２の通信装置へ転送する、
無線通信システム。
【請求項２】
前記所定の規則は、前記少なくとも一つの第３の通信装置のうち、連続する前記ホップカウントを有する第３の通信装置のそれぞれに対して、前記リソースプールのセットの中から互いに異なるリソースプールが選択されるように規定される、請求項１に記載の無線通信システム。
【請求項３】
前記複数のリソースプールのそれぞれは互いに異なる番号を有し、
前記所定の規則は、前記第１の通信装置が選択したリソースプールの番号に前記ホップカウントが加算された番号を有するリソースプールが選択されるように規定される、請求項２に記載の無線通信システム。
【請求項４】
前記第１の通信装置は、前記リソースプールのセットに含まれるリソースプールのそれぞれについてキャリアセンシングを実行して１以上のアイドル状態のリソースプールを検出し、前記検出した１以上のアイドル状態のリソースプールの中から何れかのリソースプールを選択する、請求項１〜３の何れか一項に記載の無線通信システム。
【請求項５】
前記第１の通信装置、前記第２の通信装置及び前記少なくとも一つの第３の通信装置のそれぞれは移動局である、請求項１〜４の何れか一項に記載の無線通信システム。
【請求項６】
前記複数の通信装置のうちの第４の通信装置は、前記少なくとも一つの第３の通信装置を中継して前記第２の通信装置と無線通信し、かつ、前記少なくとも一つの第３の通信装置のそれぞれについて、前記第１の通信装置と前記第２の通信装置間の無線通信におけるホップカウントと、前記第４の通信装置と前記第２の通信装置間の無線通信におけるホップカウントは同一であり、
前記第１の通信装置は、前記少なくとも一つの第３の通信装置を介して前記第２の通信装置へ前記第１の通信装置の状態を表すパラメータを通知し、かつ、前記第４の通信装置は、前記少なくとも一つの第３の通信装置を介して前記第２の通信装置へ前記第４の通信装置の状態を表すパラメータを通知し、
前記第２の通信装置は、前記第１の通信装置から通知された前記パラメータ及び前記第４の通信装置から通知された前記パラメータに基づいて、前記第１の通信装置が使用するリソースプールと前記第４の通信装置が使用するリソースプールとを設定し、前記少なくとも一つの第３の通信装置を中継して、設定したリソースプールを前記第１の通信装置及び前記第４の通信装置へ通知する、請求項１〜３の何れか一項に記載の無線通信システム。
【請求項７】
前記第１の通信装置の状態を表すパラメータは、前記第１の通信装置の環境を表すパラメータ、前記第１の通信装置の通信状態を表すパラメータ、及び、通信の緊急度を表すパラメータのうちの少なくとも一つを含む、請求項６に記載の無線通信システム。
【請求項８】
前記第２の通信装置は、前記第１の通信装置が使用するリソースプールと前記第４の通信装置が使用するリソースプールとが互いに異なるように、前記リソースプールのセットの中から前記第１の通信装置が使用するリソースプールと前記第４の通信装置が使用するリソースプールとを設定する、請求項６に記載の無線通信システム。
【請求項９】
前記第２の通信装置は、前記第１の通信装置が使用するリソースプールと前記第４の通信装置が使用するリソースプールとが互いに直交関係となるように、前記第１の通信装置が使用するリソースプールと前記第４の通信装置が使用するリソースプールとを設定する、請求項６に記載の無線通信システム。
【請求項１０】
前記第２の通信装置は、前記第１の通信装置が使用するリソースプールを表す情報と前記第４の通信装置が使用するリソースプールを表す情報とを含む一つのスケジュール割り当て情報を生成し、当該一つのスケジュール割り当て情報を前記少なくとも一つの第３の通信装置を介して前記第１の通信装置及び前記第４の通信装置へ送信する、請求項９に記載の無線通信システム。
【請求項１１】
前記第２の通信装置は基地局であり、前記第１の通信装置、前記第４の通信装置及び前記少なくとも一つの第３の通信装置のそれぞれは移動局である、請求項６〜１０の何れか一項に記載の無線通信システム。
【請求項１２】
第１の他の移動局と第２の他の移動局との無線通信を中継する移動局であって、
前記移動局が前記第２の他の移動局との無線通信に利用可能な周波数及び時間を規定するリソースを複数含むリソースプールのセットを記憶する記憶部と、
前記無線通信における前記移動局でのホップカウントと、前記第１の他の移動局が前記リソースプールのセットの中から選択したリソースプールとに基づいて規定される所定の規則に従って前記リソースプールのセットの中から何れかのリソースプールを選択し、前記選択したリソースプールに含まれる何れかのリソースを利用して、前記無線通信を中継する制御部と、
を有する移動局。
【請求項１３】
複数の移動局のそれぞれと、少なくとも一つの他の移動局の中継により無線通信する基地局であって、
前記複数の移動局のそれぞれが前記少なくとも一つの他の移動局との無線通信に利用可能な周波数及び時間を規定するリソースを複数含むリソースプールのセットを記憶する記憶部と、
前記複数の移動局のそれぞれから通知された、当該移動局の状態を表すパラメータに基づいて、前記リソースプールのセットの中から前記複数の移動局のそれぞれごとに、当該移動局が使用するリソースプールを設定し、前記少なくとも一つの他の移動局を介して、前記複数の移動局のそれぞれに対して設定したリソースプールを通知する制御部と、
を有する基地局。
【請求項１４】
複数の通信装置を有する無線通信システムにおける無線通信方法であって、
前記複数の通信装置のうちの第１の通信装置は、前記複数の通信装置のそれぞれが記憶する、前記複数の通信装置のうちの他の通信装置との無線通信に利用可能な周波数及び時間を規定するリソースを複数含むリソースプールのセットの中から何れかのリソースプールを選択し、選択したリソースプールに含まれる何れかのリソースを利用して、前記複数の通信装置のうちの第２の通信装置宛ての信号を送信し、
前記複数の通信装置のうち、前記第１の通信装置と前記第２の通信装置間の無線通信を中継する少なくとも一つの第３の通信装置のそれぞれは、前記無線通信における当該第３の通信装置でのホップカウントと、前記第１の通信装置が選択したリソースプールとに基づいて規定される所定の規則に従って前記リソースプールのセットの中から何れかのリソースプールを選択し、選択したリソースプールに含まれる何れかのリソースを利用して、前記第２の通信装置宛ての信号を前記少なくとも一つの第３の通信装置のうちの中継順序が次の通信装置または前記第２の通信装置へ転送する、
ことを含む無線通信方法。
【発明の詳細な説明】
【技術分野】
【０００１】
本発明は、例えば、移動局が他の移動局同士の通信、あるいは、他の移動局と基地局間の通信を中継する無線通信システム、及び、そのような無線通信システムで利用される無線通信方法、移動局及び基地局に関する。
【背景技術】
【０００２】
移動体通信システムにおいて、基地局を介さずに移動局同士で直接通信するための通信方式（Device to Device, D2D）が検討されている。このような通信方式は、第３世代パートナーシッププロジェクト(Third Generation Partnership Project、3GPP)により標準化された通信規格であるロング・ターム・エボリューション(Long Term Evolution)のRelease 12において規定されている。【０００３】
D2D通信では、移動局は、リソースプールから選択したリソースを用いて、データ及び制御情報を送信する。リソースは、D2D通信において規定される、所定の期間及び周波数帯域を持つチャネル内で、移動局が制御信号またはデータを伝送する際に割り当て可能な時間と周波数を表す。そしてリソースプールは、そのようなリソースを複数含む。【０００４】
特に、基地局が提供するセルの外に位置する移動局(Out-of-coverage UE)について、データ伝送用のリソースプールのセット、及び、呼制御(Sidelink Control)用のリソースプールのセットとも、移動局にて予め構築される。なお、これらの予め構築される(pre-configured)リソースプールのセットは、例えば、工場出荷時に移動局にインストールされる。【０００５】
データ伝送用のリソースプールのセットでは、リソースプールのセットが表されたリストの先頭に記載されたリソースプールがデータ送信と受信の両方に使用され、一方、他のリソースプールはデータ受信のみに使用される。同様に、呼制御用のリソースプールのセットについても、リソースプールのセットが表されたリストの先頭に記載されたリソースプールがSidelink Controlの送信と受信の両方に使用される。一方、他のリソースプールはSidelink Controlの受信のみに使用される（例えば、非特許文献１を参照）。
【先行技術文献】
【非特許文献】
【０００６】
【非特許文献１】J. Schlienz他、"Device to Device communication in LTE Whitepaper"、ROHDE&SCHWARZ
【発明の概要】
【発明が解決しようとする課題】
【０００７】
D2D通信では、送信側の移動局(以下、リモート移動局と呼ぶ)と受信側の移動局(以下、宛先移動局と呼ぶ)間の距離が長い場合には、その二つの移動局は直接通信することができない。そこでこのような場合、リモート移動局と宛先移動局の間に位置する、１以上の移動局(以下、中継移動局と呼ぶ)が、D2D通信を中継することが検討されている。【０００８】
１以上の中継移動局がD2D通信を中継する場合において、各中継移動局におけるリソース割り当てが、Release 12に規定される、各移動局がセルの範囲外にいる場合のリソース割り当てに従って実行されるとする。この場合、各中継移動局が、それぞれ個別に、使用するリソースをランダムに選択する。そのため、二つの中継移動局が同じリソースを選択した場合、コリジョンまたは干渉が生じることがある。特に、Release 12では、上記のように、データの送信と受信の両方に利用可能なリソースプールは一つのリソースプールだけなので、各中継移動局は、同じリソースプールから使用するリソースを選択することになる。したがって、D2D通信のリンクの数が増えるほど、すなわち、中継移動局の数が増えるほど、コリジョンまたは干渉が生じる可能性が高くなる。【０００９】
一つの側面では、本発明は、１以上の移動局がD2D通信を中継する場合において、コリジョン及び干渉の発生を低減可能な無線通信システムを提供することを目的とする。
【課題を解決するための手段】
【００１０】
一つの実施形態によれば、複数の通信装置を有する無線通信システムが提供される。この無線通信システムにおいて、複数の通信装置のそれぞれは、それら複数の通信装置のうちの他の通信装置との無線通信に利用可能な周波数及び時間を規定するリソースを複数含むリソースプールの共通するセットを記憶する。そして複数の通信装置のうちの第１の通信装置は、リソースプールのセットの中から何れかのリソースプールを選択し、選択したリソースプールに含まれる何れかのリソースを利用して、複数の通信装置のうちの第２の通信装置宛ての信号を送信する。一方、複数の通信装置のうち、第１の通信装置と第２の通信装置間の無線通信を中継する少なくとも一つの第３の通信装置のそれぞれは、第１の通信装置と第２の通信装置間の無線通信におけるその第３の通信装置でのホップカウントと、第１の通信装置が選択したリソースプールとに基づいて規定される所定の規則に従ってリソースプールのセットの中から何れかのリソースプールを選択し、選択したリソースプールに含まれる何れかのリソースを利用して、第２の通信装置宛ての信号を少なくとも一つの第３の通信装置のうちの中継順序が次の通信装置または第２の通信装置へ転送する。【００１１】
他の実施形態によれば、第１の他の移動局と第２の他の移動局との無線通信を中継する移動局が提供される。この移動局は、この移動局が第２の他の移動局との無線通信に利用可能な周波数及び時間を規定するリソースを複数含むリソースプールのセットを記憶する記憶部と、第１の他の移動局と第２の他の移動局との無線通信における移動局でのホップカウントと、第１の他の移動局がリソースプールのセットの中から選択したリソースプールとに基づいて規定される所定の規則に従って、リソースプールのセットの中から何れかのリソースプールを選択し、選択したリソースプールに含まれる何れかのリソースを利用して、第１の他の移動局と第２の他の移動局との無線通信を中継する制御部とを有する。【００１２】
また他の実施形態によれば、複数の移動局のそれぞれと、少なくとも一つの他の移動局の中継により無線通信する基地局が提供される。この基地局は、複数の移動局のそれぞれが少なくとも一つの他の移動局との無線通信に利用可能な周波数及び時間を規定するリソースを複数含むリソースプールのセットを記憶する記憶部と、複数の移動局のそれぞれから通知された、移動局の状態を表すパラメータに基づいて、リソースプールのセットの中から複数の移動局のそれぞれごとに、その移動局が使用するリソースプールを設定し、少なくとも一つの他の移動局を介して、複数の移動局のそれぞれに対して設定したリソースプールを通知する制御部とを有する。【００１３】
さらに他の実施形態によれば、複数の通信装置を有する無線通信システムにおける無線通信方法が提供される。この無線通信方法において、複数の通信装置のうちの第１の通信装置は、複数の通信装置のそれぞれが記憶する、複数の通信装置のうちの他の通信装置との無線通信に利用可能な周波数及び時間を規定するリソースを複数含むリソースプールのセットの中から何れかのリソースプールを選択し、選択したリソースプールに含まれる何れかのリソースを利用して、複数の通信装置のうちの第２の通信装置宛ての信号を送信し、
複数の通信装置のうち、第１の通信装置と第２の通信装置間の無線通信を中継する少なくとも一つの第３の通信装置のそれぞれは、その無線通信における第３の通信装置でのホップカウントと、第１の通信装置が選択したリソースプールとに基づいて規定される所定の規則に従ってリソースプールのセットの中から何れかのリソースプールを選択し、選択したリソースプールに含まれる何れかのリソースを利用して、第２の通信装置宛ての信号を少なくとも一つの第３の通信装置のうちの中継順序が次の通信装置または第２の通信装置へ転送することを含む。
【発明の効果】
【００１４】
本明細書に開示された無線通信システムは、１以上の移動局がD2D通信を中継する場合において、コリジョン及び干渉の発生を低減させることができる。
【図面の簡単な説明】
【００１５】
【図１】図１は、第１の実施形態による無線通信システムの概略構成図である。
【図２】図２は、ホップカウントと選択されるリソースプールの関係の一例を示す図である。
【図３Ａ】図３Ａは、ツリー状のD2Dリンクにおいて、各移動局により従来方式に従って選択されるリソースプールの一例を示す図である。
【図３Ｂ】図３Ｂは、図３Ａに示されたツリー状のD2Dリンクと同じD2Dリンクにおいて、各移動局により本実施形態に従って選択されるリソースプールの一例を示す図である。
【図４Ａ】図４Ａは、直線状のD2Dリンクにおいて、各移動局により従来方式に従って選択されるリソースプールの一例を示す図である。
【図４Ｂ】図４Ｂは、直線状のD2Dリンクにおいて、各移動局により本実施形態に従って選択されるリソースプールの一例を示す図である。
【図５】図５は、本実施形態による無線通信システム１における、D2D通信のシーケンス図である。
【図６】図６は、移動局装置の概略構成図である。
【図７】図７は、D2D通信に関連する、制御部の機能ブロック図である。
【図８】図８は、第２の実施形態による無線通信システムの概略構成図である。
【図９】図９は、基地局の概略構成図である。
【発明を実施するための形態】
【００１６】
以下、図を参照しつつ、無線通信システムについて説明する。
この無線通信システムでは、基地局が提供するセルの外に位置するリモート移動局と宛先移動局とが１以上の中継移動局を介してD2D通信を実行する。その際、各移動局について共通する複数のリソースプールがデータ及び呼制御の送信と受信の両方について使用可能とされる。そしてリモート移動局は、キャリアセンシングを行って、アイドル状態にあるリソースプールを検出し、そのリソースプール内の何れかのリソースを使用して、データ及び呼制御の送信を実行する。一方、各中継移動局は、リモート移動局が使用したリソースプールの番号、及び、その中継移動局におけるホップカウントと、選択されるリソースプールとの関係を表す所定の規則に基づいて、自装置が使用するリソースプールを選択する。これにより、リモート移動局及び各中継移動局にて同じリソースが選択される可能性が低減し、その結果として、コリジョン及び干渉の発生が低減される。
【００１７】
本実施形態による無線通信システムは、例えば、LTE-Advancedに準拠した移動体通信システムとする。しかし、本実施形態による無線通信システムは、基地局が提供するセルの外に位置する移動局同士が１以上の中継移動局を介してD2D通信を実行することが可能な他の様々な移動体通信システムであってもよい。
【００１８】
図１は、第１の実施形態による無線通信システムの概略構成図である。無線通信システム１は、複数の移動局１１−１〜１１−ｎ（ｎは３以上の整数）を有する。各移動局は、通信装置の一例である。無線通信システム１は、さらに、上位ノード（図示せず）を介してコアネットワークと接続される基地局（図示せず）を有していてもよい。
【００１９】
本実施形態では、複数の移動局１１−１〜１１−ｎの何れも、D2D通信に対応しており、かつ、リモート移動局、宛先移動局、及び中継移動局の何れとしても動作可能である。また、各移動局には、予め、同じリソースプールのセットがインストールされている。そしてリソースプールのセットに含まれる何れのリソースプールも、データまたは呼制御信号の送信及び受信の何れにも利用可能となっている。以下では、移動局１１−１がリモート移動局であり、移動局１１−５が宛先移動局であり、移動局１１−２〜１１−４が、それぞれ、中継移動局であると仮定する。また、移動局１１−１〜１１−５の何れも、基地局（図示せず）が提供するセルの範囲外に位置していてもよく、あるいは、リモート移動局である移動局１１−１及び宛先移動局である移動局１１−５の何れか一方が、セルの範囲内に含まれていてもよい。
【００２０】
リモート移動局である移動局１１−１は、例えば、所定のDiscovery手順に従って、D2D通信可能な他の移動局を発見する。そして移動局１１−１は、発見した他の移動局に基づいて、宛先移動局である移動局１１−５までのD2D通信による通信経路を特定する。
【００２１】
移動局１１−１は、通信経路が特定されると、その通信経路上で次の中継移動局までの通信に使用するリソースを、プリインストールされた複数のリソースプールの中から選択する。上記のように、プリインストールされた複数のリソースプールの何れも、データまたは呼制御信号の送信及び受信の何れにも利用可能となっている。そこで、移動局１１−１は、リソースプールごとに、そのリソースプールに含まれる各リソースについてキャリアセンシングを行って、未使用、すなわち、アイドル状態となっているリソースプールを検出する。例えば、移動局１１−１は、エネルギー検出に基づくキャリアセンシングを実行する。すなわち、移動局１１−１は、リソースごとに、所定期間において検知した電力の平均値を算出する。そして移動局１１−１は、リソースごとに、検知した電力の平均値を所定の閾値と比較する。
【００２２】
何れかのリソースについて検知した電力の平均値が所定の閾値を超えている場合、そのリソースが含まれるリソースプールは、他の移動局によるD2D通信などで占有されていると想定される。一方、着目するリソースプールに含まれる各リソースについて検知した電力の平均値が所定の閾値以下である場合、そのリソースプールはアイドル状態、すなわち、利用可能であると想定される。そこで移動局１１−１は、アイドル状態であるリソースプールの中から、使用するリソースを選択する。
【００２３】
なお、変形例によれば、移動局１１−１は、全てのリソースについてキャリアセンシングを実行する代わりに、リソースプールごとに、そのリソースプールに含まれる幾つかのリソースについてのみ、キャリアセンシングを実行してもよい。例えば、移動局１１−１は、リソースプールごとに、そのリソースプールに含まれる各リソースで規定される周波数のうちの中央値、上限周波数及び下限周波数のそれぞれに対応するリソースについてキャリアセンシングを実行してもよい。これにより、移動局１１−１は、キャリアセンシングに要する演算量などを削減できる。
【００２４】
移動局１１−１は、選択したリソースを利用して、データまたは呼制御信号を次の中継移動局１１−２へ送信する。その際、移動局１１−１は、PSSS/SSSS(Primary/Secandary Sidelink synchronization Signal)といった同期信号を送信して、中継移動局１１−２を同期させる。そして移動局１１−１は、例えば、所定の周期に基づいて定義されるPhysical Sidelink Control Channel(PSCCH)を介して、データ送信に利用されるリソースなどのスケジューリング情報を次の中継移動局１１−２へ通知する。また、移動局１１−１は、自装置のホップカウント（移動局１１−１の場合は、0）を、所定の制御情報に含めて、その制御情報を次の中継移動局１１−２へ送信する。なお、所定の制御情報は、例えば、Release 12で規定されているSCI format0にホップカウントを追加したものとすることができる。そして移動局１１−１は、選択したリソースを利用して、Physical Sidelink Shared Channel(PSSCH)を介して中継移動局１１−２へデータを送信する。
【００２５】
中継移動局１１−２〜１１−４のそれぞれは、一つ前の中継移動局あるいはリモート移動局からのデータを受信して、そのデータを、次の中継移動局または宛先移動局へ転送する。
【００２６】
中継移動局１１−２〜１１−４のそれぞれは、一つ前の中継移動局あるいはリモート移動局が選択したリソースを用いて、データを受信する。そして中継移動局１１−２〜１１−４のそれぞれは、自装置のホップカウントと、リモート移動局が選択したリソースプールの番号に基づき、所定の規則にしたがって、次の中継移動局または宛先移動局へのデータ転送に利用するリソースプールを選択する。
【００２７】
図２は、ホップカウントと選択されるリソースプールの関係の一例を示す図である。図２において、矢印は、データが転送される移動局の順序を表す。すなわち、この例では、データは、移動局１１−１→移動局１１−２→移動局１１−３→移動局１１−４→移動局１１−５の順序で転送される。したがって、移動局１１−２〜１１−４のホップカウントは、それぞれ、１、２、３となる。
【００２８】
この例では、所定の規則として、リモート移動局１１−１が選択したリソースプールの番号に、中継移動局におけるホップカウントを加算した合計値に相当する番号のリソースプールをその中継移動局が選択するリソースプールとすることが規定される。ただし、その合計値がリソースプールの番号の最大値を超える場合には、その合計値からリソースプールの番号の最大値を減じた番号のリソースプールを、その中継移動局が選択するものとする。図２に示される例では、リモート移動局１１−１がn番目のリソースプールを選択しているので、ホップカウントが'1'である移動局１１−２は、(n+1)番目のリソースプールを選択する。同様に、ホップカウントが'2'である移動局１１−３は、(n+2)番目のリソースプールを選択し、ホップカウントが'3'である移動局１１−４は、(n+3)番目のリソースプールを選択する。すなわち、各中継移動局で選択されるリソースプールは、直前の中継移動局またはリモート移動局が利用したリソースが属するリソースプールの番号に1加算した番号を持つリソースプールとなる。したがって、各中継移動局は、リモート移動局が選択したリソースプールの番号そのものを通知されなくても、上記の規則に従ってリソースプールを選択できる。
【００２９】
なお、所定の規則は、上記の例に限られない。例えば、所定の規則として、リモート移動局１１−１が選択したリソースプールの番号から、中継移動局におけるホップカウントを減じた値に相当する番号のリソースプールをその中継移動局が選択するリソースプールとすることが規定されてもよい。この場合、図２に示される例では、各中継移動局１１−２〜１１−４において選択されるリソースプールの番号は、それぞれ、(n-1)、(n-2)、(n-3)となる。ただし、この規則に基づいて算出されるリソースプールの番号が0以下となる場合には、その番号に、リソースプールの番号の最大値を加算した番号が、選択されるリソースプールの番号となってもよい。このように、少なくとも連続するホップカウントを持つ中継移動局のそれぞれに対して異なる番号のリソースプールが選択されるように、所定の規則が規定されればよい。
【００３０】
各中継移動局は、一つ前の中継移動局またはリモート移動局から受信したデータを、自装置が選択したリソースプールに属するリソースの何れかを用いて次の中継移動局または宛先移動局へ転送する。その際、各中継移動局は、リモート移動局１１−１と同様の手順により、データを転送すればよい。なお、各中継移動局は、レイヤ１〜レイヤ３の何れのリレー方式に従ってデータを転送してもよい。また、各中継移動局は、移動局１１−１と同様に、自装置のホップカウントを、所定の制御情報に含めて、その制御情報を次の中継移動局へ送信する。
【００３１】
なお、リモート移動局及び各中継移動局は、PSCCHを介して通信される、D2D通信の呼制御信号についても、上記と同様の手順に従って、使用するリソースプールを選択してもよい。
【００３２】
以下、代表的なD2Dリンクの例を挙げて、従来方式によるリソースプールの選択を行った場合のコリジョンまたは干渉が生じる確率と、本実施形態によるリソースプールの選択を行った場合のコリジョンまたは干渉が生じる確率について説明する。
【００３３】
図３Ａは、ツリー状のD2Dリンクにおいて、各移動局により従来方式に従って選択されるリソースプールの一例を示す図である。図３Ｂは、図３Ａに示されたツリー状のD2Dリンクと同じD2Dリンクにおいて、各移動局により本実施形態に従って選択されるリソースプールの一例を示す図である。
【００３４】
図３Ａ及び図３Ｂにおいて、D1〜D11は、それぞれ、移動局を表す。また各矢印は、移動局間のリンクを表し、矢印の根元側の移動局がデータを送信し、矢印の先端側の移動局がデータを受信する。そして各矢印に近接して付された数値は、対応する矢印で示されるD2D通信において利用されるリソースプールの番号を表す。なお、この例では、各移動局が有するリソースプールの数は４個であるとする。
【００３５】
従来方式では、データの送信と受信の両方に利用可能なリソースプールは１番目のリソースプールだけなので、図３Ａに示されるように、各D2D通信において、１番目のリソースプールが使用される。この場合、例えば、移動局D3において、移動局D7からのデータ通信に利用される無線電波に対して生じる可能性の有る干渉は、次式で表される。
【数１】
2017179133.tif 000003
ここで、Ptx,iは、移動局Di(i=1,2,...,11)の送信電力を表す。またdi,jは、移動局Diと移動局Dj(j=1,2,...,11、ただし、i≠j)間の距離を表す。αは、伝搬損失指数である。ただし、移動局D3からのリンク数が３を超える移動局(D8,D9)は遠いため、それらの移動局からの無線電波は、移動局D3において干渉を生じないとした。また、各中継移動局は、一つ前の移動局からのデータ受信に用いられたリソースとは異なるリソースを使用するものとした。
【００３６】
同様に、移動局D1において、移動局D3からのデータ通信に利用される無線電波に対して生じる可能性の有る干渉は、次式で表される。
【数２】
2017179133.tif 000004
【００３７】
一方、図３Ｂに示されるように、本実施形態によれば、リモート移動局は、キャリアセンシングの結果、複数のリソースプールの中から、アイドル状態と判定したリソースプールを選択し、そのリソースプールに含まれる何れかのリソースをD2D通信に利用する。また、各中継移動局は、リモート移動局が選択したリソースプールの番号と、自装置のホップカウントとに応じてリソースプールを選択する。そのため、図３Ｂに示されるように、隣接するリンク間で、使用されるリソースプールが異なっている。そこで、例えば、上記と同様に、移動局D3において、移動局D11から移動局D7を介して受信するデータ通信に着目する。この場合、このデータ通信に利用されるリソースプール'1'は、従来技術において干渉が生じる可能性が有る無線電波を送信した移動局D4、D5、D6が利用するリソースプールの何れとも異なっている。したがって、このデータ通信では、干渉は生じない。
【００３８】
また、移動局D1において、移動局D11から移動局D7及び移動局D3を介して受信するデータ通信に着目する。この場合、従来技術において干渉が生じる可能性が有る無線電波を送信した移動局D2、D8、D9、D10、D11のうち、移動局D2のみが、このデータ通信に利用されるリソースプール'2'と同じリソースプールを利用する。したがって、このデータ通信に利用される無線電波に対して生じる可能性の有る干渉はI9,1となる。
【００３９】
図４Ａは、直線状のD2Dリンクにおいて、各移動局により従来方式に従って選択されるリソースプールの一例を示す図である。また図４Ｂは、直線状のD2Dリンクにおいて、各移動局により本実施形態に従って選択されるリソースプールの一例を示す図である。
【００４０】
図４Ａ及び図４Ｂにおいて、D1〜D12は、それぞれ、移動局を表す。また各矢印は、移動局間のリンクを表し、矢印の根元側の移動局がデータを送信し、矢印の先端側の移動局がデータを受信する。そして各矢印に近接して付された数値は、対応する矢印で示されるD2D通信において利用されるリソースプールの番号を表す。なお、この例では、各移動局が有するリソースプールの数は４個であるとする。
【００４１】
従来方式では、データの送信と受信の両方に利用可能なリソースプールは１番目のリソースプールだけなので、図４Ａに示されるように、各D2D通信において、１番目のリソースプールが使用される。そのため、例えば、移動局D9において、移動局D10からのデータ通信に利用される無線電波に対して生じる可能性の有る干渉は、次式で表される。
【数３】
2017179133.tif 000005
ただし、移動局D4、D8、D9がデータを送信している間、移動局D3、D7、D11は、データ受信のみを行っているものとする。
【００４２】
一方、図４Ｂに示されるように、本実施形態によれば、リモート移動局は、キャリアセンシングの結果、複数のリソースプールの中から、アイドル状態と判定したリソースプールを選択し、そのリソースプールに含まれるリソースの何れかをD2D通信に利用する。また、各中継移動局は、リモート移動局が選択したリソースプールの番号と、自装置のホップカウントとに応じてリソースプールを選択する。そのため、図４Ｂに示されるように、隣接するリンク間で、使用されるリソースプールが異なっている。そこで、例えば、上記と同様に、移動局D9において、移動局D10からのデータ通信に着目する。この場合、従来技術において干渉が生じる可能性が有る無線電波を送信した移動局D4、D8、D8、D12、D2、D6のうち、移動局D4のみが、このデータ通信に利用されるリソースプール'1'と同じリソースプールを利用する。したがって、このデータ通信に利用される無線電波に対して生じる可能性の有る干渉はI4,9となる。
【００４３】
また、図４Ａに示される例では、各移動局が１番目のリソースプールからリソースを選択するため、直線状の各D2Dリンクにおいてコリジョンが生じる確率は次式で表される。
【数４】
2017179133.tif 000006
ここで、Nrpは、一つのリソースプールに含まれるリソースの数である。一方、本実施形態では、直線状の各D2Dリンクにおいて、移動局ごとに異なるリソースプールが選択されているので、コリジョンは生じない。
【００４４】
上記のように、何れのD2Dリンクについても、従来技術と比較して、本実施形態により、干渉またはコリジョンが生じる可能性が低減されることが分かる。
【００４５】
図５は、本実施形態による無線通信システム１における、D2D通信のシーケンス図である。
先ず、リモート移動局１１−１は、各リソースプールに対してキャリアセンシングを実行してアイドル状態のリソースプールを検出し、検出したアイドル状態のリソースプールの中から使用するリソースプールを選択する（ステップＳ１０１）。そしてリモート移動局１１−１は、最初の中継移動局１１−２へ、リソース割り当て情報及びリモート移動局１１−１のホップカウント'0'を送信する。その後、リモート移動局１１−１は、リソース割り当て情報で示されるリソースを用いて、データを送信する。
【００４６】
中継移動局１１−２は、リソース割り当て情報を参照して、指定されたリソースを用いて送信されたデータを受信する。また中継移動局１１−２は、通知されたホップカウントから自装置のホップカウント'1'を算出する。そして中継移動局１１−２は、リモート移動局１１−１が選択したリソースプールの番号及び自装置のホップカウント'1'に基づいて、所定の規則に従ってデータ転送に利用するリソースプールを選択する（ステップＳ１０２）。そして中継移動局１１−２は、次の中継移動局１１−３へ、リソース割り当て情報及び中継移動局１１−２のホップカウント'1'を送信する。その後、中継移動局１１−２は、リソース割り当て情報で示されるリソースを用いて、データを送信する。
【００４７】
中継移動局１１−３は、リソース割り当て情報を参照して、指定されたリソースを用いて転送されたデータを受信する。また中継移動局１１−３は、通知されたホップカウントから自装置のホップカウント'2'を算出する。そして中継移動局１１−３は、リモート移動局１１−１が選択したリソースプールの番号及び自装置のホップカウント'2'に基づいて、所定の規則に従ってデータ転送に利用するリソースプールを選択する（ステップＳ１０３）。そして中継移動局１１−３は、次の中継移動局１１−４へ、リソース割り当て情報及び中継移動局１１−３のホップカウント'2'を送信する。その後、中継移動局１１−３は、リソース割り当て情報で示されるリソースを用いて、データを転送する。
【００４８】
同様に、中継移動局１１−４は、リソース割り当て情報を参照して、指定されたリソースを用いて転送されたデータを受信する。また中継移動局１１−４は、通知されたホップカウントから自装置のホップカウント'3'を算出する。そして中継移動局１１−４は、リモート移動局１１−１が選択したリソースプールの番号及び自装置のホップカウント'3'に基づいて、所定の規則に従ってデータ転送に利用するリソースプールを選択する（ステップＳ１０４）。そして中継移動局１１−４は、宛先移動局１１−５へ、リソース割り当て情報を送信する。その後、中継移動局１１−４は、リソース割り当て情報で示されるリソースを用いて、データを転送する。
以上により、リモート移動局１１−１から宛先移動局１１−５へデータが送信される。
【００４９】
以下、本実施形態による無線通信システム１に含まれる移動局の詳細について説明する。本実施形態では、無線通信システム１に含まれる各移動局は、同一の構成を有してもよい。そこで以下では、移動局１１−１について説明する。
【００５０】
図６は、移動局１１−１の概略構成図である。移動局１１−１は、送信用アンテナ２１と、受信用アンテナ２２と、送信用無線処理部２３と、受信用無線処理部２４と、記憶部２５と、制御部２６とを有する。送信用無線処理部２３、受信用無線処理部２４、記憶部２５及び制御部２６は、それぞれ別個の回路として形成される。あるいはこれらの各部は、その各部に対応する回路が集積された一つまたは複数の集積回路として移動局１１−１に実装されてもよい。
【００５１】
送信用アンテナ２１は、送信用無線処理部２３を介して伝達されたアップリンク信号あるいは、D2D通信における各種の送信信号を無線信号として送信する。
【００５２】
受信用アンテナ２２は、基地局からの無線信号であるダウンリンク信号を受信して電気信号に変換し、電気信号に変換されたダウンリンク信号を受信用無線処理部２４に伝達する。また受信用アンテナ２２は、他の移動局からのD2D通信における各種の無線信号を受信して電気信号に変換し、その変換された信号を受信用無線処理部２４に伝達する。
【００５３】
送信用無線処理部２３は、制御部２６から受け取った、多重化された送信用の信号（例えば、アップリンク信号、あるいは、D2D通信における各種信号）をアナログ化した後、制御部２６により指定された無線周波数を持つ搬送波に重畳する。そして送信用無線処理部２３は、搬送波に重畳されたアップリンク信号をハイパワーアンプ（図示せず）により所望のレベルに増幅し、その信号を送信用アンテナ２１へ伝達する。
【００５４】
受信用無線処理部２４は、受信用アンテナ２２から受信した信号（例えば、ダウンリンク信号、あるいは、D2D通信における各種信号）を、低ノイズアンプ（図示せず）により増幅する。受信用無線処理部２４は、増幅された信号に、中間周波数を持つ周期信号を乗じることにより、その信号の周波数を無線周波数からベースバンド周波数に変換する。そして受信用無線処理部２４は、ベースバンド周波数を持つその信号をアナログ／デジタル変換した後、制御部２６へ渡す。
【００５５】
記憶部２５は、例えば、書き換え可能な不揮発性半導体メモリまたは揮発性半導体メモリを有する。そして記憶部２５は、基地局と通信するための各種の情報、移動局１１−１が送信または受信する各種の情報、及び、移動局１１−１で動作する各種のプログラムなどを記憶する。さらに、記憶部２５は、リソースプールのセットといった、D2D通信において利用される各種の情報を記憶する。
【００５６】
制御部２６は、例えば、１個あるいは複数個のプロセッサ及びその周辺回路を有する。そして制御部２６は、アップリンク信号に対して、誤り訂正符号化などの処理を行う。さらに制御部２６は、アップリンク信号を所定の変調方式に従って変調し、かつ多重化する。なお、多重化方式は、例えば、シングルキャリア周波数分割多重方式(Single Carrier Frequency Division Multiplexing、SC-FDMA)とすることができる。そして制御部２６は、変調及び多重化されたダウンリンク信号を送信用無線処理部２３へ渡す。
【００５７】
一方、制御部２６は、受信用無線処理部２４から受け取ったダウンリンク信号を所定の多重化方式に従って分離し、分離したダウンリンク信号をそれぞれ復調し、誤り訂正復号する。なお、ダウンリンク信号に対する多重化方式は、例えば、直交周波数分割多重方式(Orthogonal Frequency-Division Multiplexing、OFDM)とすることができる。そして制御部２６は、復号されたダウンリンク信号から、音声信号、動画像信号またはデータを取り出す。制御部２６は、取り出された音声信号を、スピーカ（図示せず）により再生し、あるいは動画像信号及びデータをディスプレイ（図示せず）に表示させる。
【００５８】
さらに制御部２６は、送信電力制御及び呼制御など、無線通信を実行するための各種の処理を実行する。
【００５９】
また制御部２６は、D2D通信を実行するための各種の処理を実行する。
図７は、D2D通信に関連する、制御部２６の機能ブロック図である。制御部２６は、PDSCH復号部３１と、通信経路設定部３２と、D2D制御信号復号部３３と、D2Dデータ信号復号部３４と、キャリアセンシング部３５と、ホップカウント算出部３６と、スケジューリング部３７と、送信データ生成部３８とを有する。制御部２６が有するこれらの各部は、制御部２６が有するプロセッサ上で動作するコンピュータプログラムにより実現される。あるいは、制御部２６が有するこれらの各部は、その各部の機能を実現する回路が集積された一つまたは複数の集積回路として移動局１１−１に実装されてもよい。
【００６０】
PDSCH復号部３１は、移動局１１−１が基地局が提供するセル内に位置している場合に、基地局からのダウンリンク信号に含まれる、下り共有チャネル(Physical Downlink Shared Channe, PDSCH)の信号を復号する。そしてPDSCH復号部３１は、移動局１１−１が基地局が提供するセル内に位置している場合に利用される、リソースプールのセットを復号した信号から取り出して、記憶部２５に保存する。
【００６１】
通信経路設定部３２は、例えば、宛先移動局までの通信経路、及び、その通信経路上に存在する中継移動局を特定する。そのために、通信経路設定部３２は、Discovery処理を実行して、移動局１１−１の周囲にいる他の移動局を検出する。なお、このDiscover処理自体は、LTE Release 12に準拠するものであってもよい。例えば、通信経路設定部３２は、Discovery処理で使用される各種の送信信号、例えば、Discovery RequestメッセージまたはDiscovery ResponseメッセージといったDiscoveryメッセージを生成する。そして通信経路設定部３２は、その送信信号を送信用無線処理部２３へ出力する。また通信経路設定部３２は、受信用無線処理部２４から受け取った信号に含まれる、他の移動局からのDiscovery処理に関する信号を復号する。
【００６２】
移動局１１−１がリモート移動局である場合、通信経路設定部３２は、宛先移動局の識別情報を含むDiscoveryメッセージを生成し、そのDiscoveryメッセージを送信用無線処理部２３及び送信用アンテナ２１を介して送信する。そして通信経路設定部３２は、そのDiscoveryメッセージに応答した１以上の移動局からのDiscovery Responseメッセージに含まれる、受信電力の測定値に関する情報を参照し、受信電力が最も高い移動局を１番目の中継移動局とする。そして通信経路設定部３２は、１番目の中継移動局に対して、中継移動局として指定されたことを示す情報を含む制御信号を生成し、その制御信号を送信用無線処理部２３及び送信用アンテナ２１を介して送信する。
【００６３】
また、受信したDiscovery Responseメッセージに、宛先移動局に達するまでの経路上に位置する各中継移動局の識別情報及び宛先移動局の識別情報が含まれる場合、通信経路設定部３２は、それらの識別情報に基づいて宛先移動局までの通信経路を特定する。そして通信経路設定部３２は、通信経路上の各移動局の識別情報及び経由する順序を記憶部２５に保存する。
【００６４】
一方、移動局１１−１がリモート移動局でない場合、近隣に位置する移動局からのDiscovery Requestメッセージを受信すると、通信経路設定部３２は、その移動局からの電波の受信電力を測定する。そして通信経路設定部３２は、その受信電力の測定値に関する情報及び移動局１１−１の識別情報を含むDiscovery Responseメッセージを生成し、そのDiscovery Responseメッセージを送信用無線処理部２３及び送信用アンテナ２１を介して返信する。
【００６５】
また、通信経路設定部３２は、中継移動局に指定されたことを示す制御情報を受信した場合、リモート移動局の識別情報、自装置の識別情報、及び、宛先移動局の識別情報を含むDiscoverメッセージを生成する。そして通信経路設定部３２は、そのメッセージを、送信用無線処理部２３及び送信用アンテナ２１を介して近隣の移動局へ送信する。
【００６６】
そして通信経路設定部３２は、そのDiscoveryメッセージに応答した１以上の移動局からのDiscovery Responseメッセージに含まれる、受信電力の測定値に関する情報を参照し、受信電力が最も高い移動局を次の中継移動局とする。そして通信経路設定部３２は、次の中継移動局に対して、中継移動局として指定されたことを示す情報を含む制御信号を生成し、その制御信号を送信用無線処理部２３及び送信用アンテナ２１を介して送信する。また通信経路設定部３２は、自装置及び自装置以降の中継移動局の識別情報を含む制御信号を、送信用無線処理部２３及び送信用アンテナ２１を介して一つ前の中継移動局またはリモート移動局へ送信する。
【００６７】
以下、リモート移動局から宛先移動局までの通信経路が確立されるまで、同様の処理が実行される。
【００６８】
D2D制御信号復号部３３は、D2D通信により他の移動局（例えば、リモート移動局または一つ前の中継移動局）から受信し、受信用無線処理部２４を介して受け取った信号に含まれる、PSCCHなどを介して伝達される制御信号を復号する。この制御信号には、例えば、ホップカウントを含むように修正された、SCI Format0に準拠した信号、及び、スケジュール割り当て情報も含まれる。そしてD2D制御信号復号部３３は、そのSCI Format0からホップカウントを取り出して、ホップカウント算出部３６へ通知する。またD2D制御信号復号部３３は、制御信号から、スケジュール割り当て情報を取出し、その情報をD2Dデータ信号復号部３４へわたす。
【００６９】
D2Dデータ信号復号部３４は、受信用無線処理部２４を介して受け取った、D2D通信の信号を復号する。その際、D2Dデータ信号復号部３４は、スケジュール割り当て情報で指定されたリソースに相当する信号を、自装置への信号、または、自装置が中継する信号とする。
【００７０】
キャリアセンシング部３５は、移動局１１−１がリモート移動局である場合において、利用するリソースを決定するために、事前構築されたリソースプールのセットに含まれる、各リソースに対してキャリアセンシングを実行する。上記のように、キャリアセンシング部３５は、リソースごとに、所定期間において検知した電力の平均値を算出する。そしてキャリアセンシング部３５は、リソースごとに、検知した電力の平均値を所定の閾値と比較する。
【００７１】
そしてキャリアセンシング部３５は、含まれる全てのリソースについて検知した電力の平均値が所定の閾値以下となるリソースプール、すなわち、アイドル状態のリソースプールを検出し、検出したリソースプールの番号をスケジューリング部３７へ通知する。
【００７２】
ホップカウント算出部３６は、D2D制御信号復号部３３から受け取った、一つ前の中継移動局またはリモート移動局のホップカウントを１インクリメントする。そしてホップカウント算出部３６は、インクリメントされたホップカウントを自装置のホップカウントとする。そしてホップカウント算出部３６は、自装置のホップカウントをスケジューリング部３７へ通知する。
【００７３】
スケジューリング部３７は、移動局１１−１がリモート移動局である場合、キャリアセンシング部３５から通知されたリソースプールの番号で特定されるリソースプールに含まれるリソースの何れかを、D2D通信に利用するリソースとして選択する。なお、特定されたリソースプール内で選択されるリソースは任意である。
【００７４】
一方、スケジューリング部３７は、移動局１１−１が中継移動局である場合、自装置のホップカウントと、リモート移動局が選択したリソースプールの番号とに基づいて、所定の規則に従って自装置が使用するリソースプールを選択する。そしてスケジューリング部３７は、選択したリソースプールに含まれるリソースの何れかを、D2D通信に利用するリソースとして選択する。この場合も、特定されたリソースプール内で選択されるリソースは任意である。
【００７５】
さらに、スケジューリング部３７は、自装置のホップカウント及び選択したリソースを示すスケジューリング割り当て情報を含むD2D通信用の制御信号を生成する。そしてスケジューリング部３７は、その制御信号を、送信用無線処理部２３及び送信用アンテナ２１を介して次の中継移動局または宛先移動局へ送信する。
【００７６】
送信データ生成部３８は、選択したリソースが利用されるように、送信用のデータを含む送信信号を生成する。そして送信データ生成部３８は、その送信信号を、送信用無線処理部２３及び送信用アンテナ２１を介して次の中継移動局または宛先移動局へ送信する。なお、移動局１１−１が中継移動局である場合には、送信データ生成部３８は、D2Dデータ信号復号部３４から、リモート移動局または一つ前の中継移動局から受信したデータを送信信号に含める送信用のデータとする。
【００７７】
以上に説明してきたように、この無線通信システムでは、基地局を介さずに移動局同士がD2D通信を実行する際に、事前構築された複数のリソースプールのそれぞれを、データの送受信に利用可能とする。そしてリモート移動局は、キャリアセンシングを行ってアイドル状態のリソースプールを検出し、検出したリソースプールに含まれる何れかのリソースをデータ送信に利用する。一方、D2D通信を中継する中継移動局は、リモート移動局が選択したリソースプールの番号と、自装置のホップカウントとに基づいて、所定の規則に従ってリソースプールを選択する。これにより、この無線通信システムは、１以上の中継移動局が中継する移動局同士のD2D通信について、リモート移動局及び各中継移動局が同じリソースプールを利用する可能性を低減できるので、干渉及びコリジョンの発生を抑制できる。
【００７８】
なお、変形例によれば、各中継移動局のホップカウントは、Discovery処理の際にリモート移動局から通知される、discovery処理の制御信号に含まれてもよい。そしてその制御信号が各中継移動局を介して転送されることにより、各中継移動局にホップカウントが通知されてもよい。
【００７９】
次に、第２の実施形態による無線通信システムについて説明する。この無線通信システムでは、一つの中継移動局が、複数のリモート移動局と基地局との通信を中継する。
【００８０】
図８は、第２の実施形態による無線通信システムの概略構成図である。第２の実施形態による無線通信システム２は、複数の移動局１１−１〜１１−４と、基地局１２とを有する。なお、基地局１２は、通信装置の他の一例である。
【００８１】
本実施形態でも、複数の移動局１１−１〜１１−４の何れも、D2D通信に対応しており、リモート移動局、宛先移動局、及び中継移動局の何れとしても動作可能である。また各移動局には、予め、同じリソースプールのセットがインストールされている。そしてリソースプールのセットに含まれる何れのリソースプールも、データまたは呼制御信号の送信及び受信の何れにも利用可能となっている。以下では、移動局１１−１が中継移動局であり、移動局１１−２〜１１−４が、それぞれ、リモート移動局であると仮定する。そして移動局１１−１は、基地局１２が提供するセル１２ａの範囲内に位置しており、一方、移動局１１−２〜１１−４の何れも、セル１２ａの範囲外に位置していると仮定する。
【００８２】
この実施形態では、基地局１２と移動局１１−２〜１１−４のそれぞれとのD2D通信において、移動局１１−１のホップカウントは何れも'1'となる。したがって、各移動局１１−２〜１１−４が選択するリソースプールが同一であると、上記の実施形態と同様にリソースプールが選択される場合、中継移動局１１−１においても、各D2D通信について選択されるリソースプールは同一となる。
【００８３】
そこで、本実施形態では、基地局１２が、リモート移動局１１−２〜１１−４に割り当てられるリソースプールが互いに異なるように、各リモート移動局において使用されるリソースプールを選択する。
【００８４】
例えば、リモート移動局１１−２〜１１−４のそれぞれは、中継移動局１１−１へ送信されるDiscovery処理における制御信号の何れかに、リソースプールの選択に利用される、移動局の状態を表すパラメータを含める。なお、そのパラメータは、例えば、自装置の環境を表すパラメータ、通信状態を表すパラメータ、及び、通信の緊急度を表すパラメータのうちの少なくとも一つを含む。また、自装置の環境を表すパラメータは、例えば、自装置の位置及び自装置の速度を表すパラメータである。通信状態を表すパラメータは、例えば、無線測定結果を表すパラメータである。そして中継移動局１１−１は、リモート移動局１１−２〜１１−４のそれぞれから受信したパラメータを基地局１２へ転送する。
【００８５】
基地局１２は、リモート移動局１１−２〜１１−４のそれぞれの状態を表すパラメータに基づいて、リモート移動局１１−２〜１１−４のそれぞれに割り当てるリソースプールを設定する。基地局１２は、例えば、所定距離内にいる複数のリモート移動局に対して互いに異なるリソースプールを設定する。また、所定距離内に位置し、かつ、速度が同じ複数のリモート移動局は、同じグループに属している可能性が有る。そこで、基地局１２は、所定距離内に位置し、かつ、速度が同じ複数のリモート移動局に対して同じリソースプールを割り当て、一方、速度差が所定値以上あるか、所定距離以上離れている複数のリモート移動局に対して、異なるリソースプールを設定してもよい。さらに、基地局１２は、無線測定結果で示される、受信電力が大きい方、あるいは、小さい方のリモート移動局から順に、異なるリソースプールを割り当ててもよい。さらにまた、基地局１２は、移動局の状態を表すパラメータに、通信の緊急度を表すパラメータが含まれている場合、緊急度が高いリモート移動局から順にリソースプールを割り当ててもよい。
【００８６】
また、基地局１２は、互いに直交関係にあるリソースプールを異なるリモート移動局に割り当てることができる。なお、互いに直交関係にあるリソースプールは、例えば、周波数に関して、他方のリソースプールに含まれるリソースと直交関係にあるリソースを含む。一つのスケジュール割り当て情報は、各リソースプール内での同じ位置のリソースとともに直交する複数のリソースプールを示すことができる。そこで基地局１２は、単一のスケジュール割り当て情報を送信するだけで、各リモート移動局で使用されるリソースプールを通知できる。そのため、中継移動局１１−１からリモート移動局１１−２〜１１−４のそれぞれへの呼制御のオーバーヘッドが削減される。
【００８７】
また、中継移動局１１−１は、一つのスケジュール割り当て期間内で、基地局１２からリモート移動局のそれぞれへのデータを転送することができる。その際、接続確立期間中、中継移動局１１−１により、リモート移動局のそれぞれに、データリンク層(layer 2)での目的地識別情報が割り当てられてもよい。また、リモート移動局のそれぞれは、データリンク層における受信データとネットワーク層(layer 3)における受信データとを識別できる。そのため、各リモート移動局が共通するデータリンク層の目的地識別情報を有している場合には、各リモート移動局は、ネットワーク層におけるアドレス、例えば、IPアドレスを利用して、受信するデータがどのリモート移動局宛のものかを判定してもよい。
【００８８】
また、第２の実施形態においても、リモート移動局のそれぞれと、基地局間の通信を、図１における各中継移動局と同様に、直列に並ぶ複数の中継移動局で中継してもよい。そして各中継移動局は、第１の実施形態と同様に、自装置のホップカウントとリモート移動局が選択したリソースプールの番号に基づいて、自装置が使用するリソースプールを選択すればよい。
【００８９】
図９は、基地局１２の概略構成図である。基地局１２は、送信用アンテナ４１と、受信用アンテナ４２と、送信用無線処理部４３と、受信用無線処理部４４と、有線インターフェース部４５と、記憶部４６と、制御部４７とを有する。送信用無線処理部４３、受信用無線処理部４４、有線インターフェース部４５、記憶部４６及び制御部４７は、それぞれ別個の回路として形成される。あるいはこれらの各部は、その各部に対応する回路が集積された一つまたは複数の集積回路として基地局１２に実装されてもよい。
【００９０】
送信用アンテナ４１は、送信用無線処理部４３を介して伝達されたダウンリンク信号を無線信号として送信する。
【００９１】
受信用アンテナ４２は、移動局からの無線信号であるアップリンク信号を受信して電気信号に変換し、電気信号に変換されたアップリンク信号を受信用無線処理部４４に伝達する。また受信用アンテナ２２は、他の移動局からのD2D通信における各種の無線信号を受信して電気信号に変換し、その変換された信号を受信用無線処理部４４に伝達する。
【００９２】
送信用無線処理部４３は、制御部４７から受け取った、多重化されたダウンリンク信号をアナログ化した後、制御部４７により指定された無線周波数を持つ搬送波に重畳する。そして送信用無線処理部４３は、搬送波に重畳されたダウンリンク信号をハイパワーアンプ（図示せず）により所望のレベルに増幅し、その信号を送信用アンテナ４１へ伝達する。
【００９３】
受信用無線処理部４４は、受信用アンテナ４２から受信したアップリンク信号を、低ノイズアンプ（図示せず）により増幅する。受信用無線処理部４４は、増幅されたアップリンク信号に、中間周波数を持つ周期信号を乗じることにより、アップリンク信号の周波数を無線周波数からベースバンド周波数に変換する。そして受信用無線処理部４４は、ベースバンド周波数を持つアップリンク信号をアナログ／デジタル変換した後、そのアップリンク信号を制御部４７へ渡す。なお、このアップリンク信号には、中継移動局１１−１で中継された、リモート移動局１１−２〜１１−４の何れかからの信号も含まれる。
【００９４】
有線インターフェース部４５は、基地局１２を、上位ノード装置（図示せず）及び他の基地局と接続するための通信インターフェース回路を有する。そして有線インターフェース部４５は、上位ノード装置から受信した信号を、S1インターフェースに従って解析し、その信号に含まれるダウンリンク信号及び制御信号を抽出する。さらに有線インターフェース部４５は、他の基地局から受信した信号を、X2インターフェースに従って解析し、その信号に含まれる制御信号を抽出する。そして有線インターフェース部４５は、抽出したダウンリンク信号及び制御信号を制御部４７に渡す。
【００９５】
一方、有線インターフェース部４５は、制御部４７から受け取ったアップリンク信号をS1インターフェースに従った形式の信号に変換した上で上位ノード装置へ出力する。また有線インターフェース部４５は、他の基地局へ送信する制御信号を、X2インターフェースに従った形式に変換する。そして有線インターフェース部４５は、その制御信号を他の基地局へ出力する。
【００９６】
記憶部４６は、例えば、書き換え可能な不揮発性半導体メモリまたは揮発性半導体メモリを有する。そして記憶部４６は、移動局と通信するための各種の情報を記憶する。本実施形態では、各移動局が記憶しているのと同じリソースプールのセットを記憶する。
【００９７】
制御部４７は、例えば、１個あるいは複数個のプロセッサ及びその周辺回路を有する。そして制御部４７は、ダウンリンク信号に対して、誤り訂正符号化などの処理を行う。さらに制御部４７は、ダウンリンク信号を所定の変調方式に従って変調し、かつ多重化する。なお、多重化方式は、例えば、OFDMとすることができる。そして制御部４７は、変調及び多重化されたダウンリンク信号を送信用無線処理部４３へ渡す。
【００９８】
一方、制御部４７は、受信用無線処理部４４から受け取ったアップリンク信号を所定の多重化方式に従って分離し、分離したアップリンク信号をそれぞれ復調し、誤り訂正復号する。なお、アップリンク信号に対する多重化方式は、例えば、SC-FDMAとすることができる。そして制御部４７は、復号されたアップリンク信号を有線インターフェース部４５に出力する。さらに制御部４７は、復号されたアップリンク信号から、基地局１２が参照する各種の信号、例えば、呼制御に関する制御情報、あるいは、リモート移動局からの状態を表すパラメータなどを取り出す。
【００９９】
さらに、制御部４７は、送信電力制御及び呼制御など、移動局との間で無線通信を実行するための各種の処理を実行する。
さらに、制御部４７は、各リモート移動局から中継移動局を介して受信した、移動局の状態を表すパラメータに基づいて、各リモート移動局が利用するリソースプールを選択する。その際、制御部４７は、上記のように、同一の中継移動局を利用する、複数のリモート移動局について、割り当てられるリソースプールが互いに異なるようにリソースプールを選択する。
【０１００】
ここに挙げられた全ての例及び特定の用語は、読者が、本発明及び当該技術の促進に対する本発明者により寄与された概念を理解することを助ける、教示的な目的において意図されたものであり、本発明の優位性及び劣等性を示すことに関する、本明細書の如何なる例の構成、そのような特定の挙げられた例及び条件に限定しないように解釈されるべきものである。本発明の実施形態は詳細に説明されているが、本発明の精神及び範囲から外れることなく、様々な変更、置換及び修正をこれに加えることが可能であることを理解されたい。
【符号の説明】
【０１０１】
１、２    無線通信システム
１１−１〜１１−ｎ    移動局
１２    基地局
２１、４１    送信用アンテナ
２２、４２    受信用アンテナ
２３、４３    送信用無線処理部
２４、４４    受信用無線処理部
４５    有線インターフェース部
２５、４６    記憶部
２６、４７    制御部
３１    PDSCH復号部
３２    通信経路設定部
３３    D2D制御信号復号部
３４    D2Dデータ信号復号部
３５    キャリアセンシング部
３６    ホップカウント算出部
３７    スケジューリング部
３８    送信データ生成部
【図１】
2017179133.tif 000007
【図２】
2017179133.tif 000008
【図３Ａ】
2017179133.tif 000009
【図３Ｂ】
2017179133.tif 000010
【図４Ａ】
2017179133.tif 000011
【図４Ｂ】
2017179133.tif 000012
【図５】
2017179133.tif 000013
【図６】
2017179133.tif 000014
【図７】
2017179133.tif 000015
【図８】
2017179133.tif 000016
【図９】
2017179133.tif 000017
【国際調査報告】
2017179133.tif 000018
2017179133.tif 000019
2017179133.tif 000020
2017179133.tif 000021